(57)【要約】      （修正有）【課題】それぞれ異なる挿入方向から複数の電気製品の電気プラグ同士の差し込みを受けることができるようにする。【解決手段】収納空間２０２を有する、開口が上へ向けるハウジング２０と、収納空間２０２に収納されるスイッチ部材２２と、ハウジング２０の上部に枢着される押し付けボタン・カバー２４とを備える押し付けボタン手段２と、押し付けボタン手段２のハウジング２０の底部に固着されつつ、押し付けボタン手段２のスイッチ部材２２に電気的に接続される導電サポート・ピース４と、押し付けボタン手段２のハウジング２０の底部の両端部にそれぞれ固定されるとともに、押し付けボタン手段２のスイッチ部材２２に電気的に接続され、挟持部６２と、その挟持部６２に接続される導電部６４とを備える二つの導電挟持レッグ同士６とからなる。【選択図】図４
0003103625.tif 000002
【実用新案登録請求の範囲】
【請求項１】
収納空間を有する、開口が上へ向けるハウジングと、前記収納空間に収納されるスイッチ部材と、前記ハウジングの上部に枢着される押し付けボタン・カバーとを備える押し付けボタン手段と、
前記押し付けボタン手段のハウジングの底部に固着されつつ、前記押し付けボタン手段のスイッチ部材に電気的に接続される導電サポート・ピースと、
前記押し付けボタン手段のハウジングの底部の両端部にそれぞれ固定されるとともに、前記押し付けボタン手段のスイッチ部材に電気的に接続され、挟持部と、その挟持部に接続される導電部とを備える二つの導電挟持レッグ同士と、を有しており、
その中、前記挟持部には二枚の挟持ピース同士を有し、且つそれぞれの挟持ピースには挟持ピース本体と二枚の前記それぞれの挟持ピース本体の隣り合う両側辺部より外方へ延出形成される湾曲弾性ピースとを有し、且つ前記二枚の挟持ピース同士における挟持ピース本体に接続される接合部を有することを特徴とするパワー・コンセントに配置される切替スイッチ。
【請求項２】
前記スイッチ部材には、
ベース本体とそのベース本体の底部に突出形成される突出柱とを有する、ベースと、
前記ベースのベース本体に組立てられる発光素子と、
前記ベースの突出柱につけられる第一のスプリングと、
揺動可能に前記導電サポート・ピースの上部に配置されるとともに、前記第一のスプリングの底部に当接される導電板と、
前記ベースのベース本体の底部に当接される柱体と、
前記柱体の下方に設けられる第二のスプリングとを備えており、
その中、前記の第二のスプリングの一端が前記柱体の底部に当接され、且つその他端が前記導電挟持レッグの導電部に当接され、前記導電板が離脱可能に前記他の導電挟持レッグの導電部に当接され、且つ前記発光素子には、それぞれ前記柱体と前記第一のスプリングに電気的に当接される二本のコンタクト・レッグ同士を有することを特徴とする請求項１に記載のパワー・コンセントに配置される切替スイッチ。
【請求項３】
さらに、それぞれ前記二つの導電挟持レッグ同士に組立てられる位置決めピースを有することを特徴とする請求項１に記載のパワー・コンセントに配置される切替スイッチ。
【請求項４】
前記発光素子として発光ダイオードを使用することを特徴とする請求項２に記載のパワー・コンセントに配置される切替スイッチ。
【請求項５】
前記発光素子としてＮｅガス・ランプを使用することを特徴とする請求項２に記載のパワー・コンセントに配置される切替スイッチ。
【請求項６】
挟持部と、その挟持部に接続される導電部とを備えており、
その中、前記挟持部には、二枚の挟持ピース同士を有し、それぞれの挟持ピースには、挟持ピース本体と、それぞれの挟持ピース本体の隣り合う両側辺部より外方へ延出形成される二枚の湾曲弾性ピースとを有しており、且つ前記二枚の挟持ピース同士の挟持ピース本体に接続される接合部を有することを特徴とするパワー・コンセントにおける切替スイッチに配置される導電挟持レッグ。
【考案の詳細な説明】
【技術分野】
【０００１】
本考案は、パワー・コンセントにおける切替スイッチとその導電挟持レッグに係わり、特にその切替スイッチをそのパワー・コンセントに配置する場合に、前記切替スイッチの導電挟持レッグが電気的に接続する方式によって二つの異なる挿入方向のプラグを接続でき、プラグ同士が相互に干渉するようになることを避けられる効果を有する、パワー・コンセントにおける切替スイッチとその導電挟持レッグに関するものである。
【背景技術】
【０００２】
図１と図２に示すように、複数個の並列的に配列される切替スイッチ同士２０ａを有するパワー・コンセント１０ａには、コンセント本体１０２ａと、そのコンセント本体１０２ａに連接されるカバー１０４ａとを有しており、その中、それぞれの切替スイッチ２０ａには、パワー・コンセント１０ａのコンセント本体１０２ａに設けられる押し付けボタン手段２０２ａと、その押し付けボタン手段２０２ａの底部の両端部に電気的に接続される二つの導電挟持レッグ同士２０４ａとを有しており、その中、パワー・コンセント１０ａのカバー１０４ａには、複数の挿入孔１０４２ａを有し、且つそれらの複数個の挿入孔１０４２ａが、パワー・コンセント１０ａの切替スイッチ２０ａのそれぞれの導電挟持レッグ２０４ａに対応しており、それぞれの切替スイッチ２０ａの導電挟持レッグ２０４ａがそれぞれパワー・コンセント１０ａのカバー１０４ａの挿入孔１０４２ａに収納されている。
【０００３】
電気スタンドやパーソナル・コンピュータやプリンターやファクシミリーや電話装置や携帯電話チャージャーなどの多くの電気製品のプラグがそれぞれパワー・コンセント１０ａのカバー１０４ａにおける挿入孔１０４２ａに挿入されることができ、且つ対応しあう切替スイッチ２０ａの導電挟持レッグ２０４ａに電気的に接続でき、それぞれの切替スイッチ２０ａが単独にパワーをスイッチ・オンまたはスイッチ・オフを操作できる。
【０００４】
しかしながら、この種のパワー・コンセントに並列的に配列される従来の切替スイッチ同士２０ａが、それぞれの切替スイッチ２０ａの二つの導電挟持レッグ２０４ａが単に一つのプラグしか電気的に接続できず、そのため、それぞれの電気製品のプラグがすべて同じ方向よりそのパワー・コンセント１０ａに挿入されるようになっている。しかしながら、実際では、それぞれの電気製品のプラグは、その外形と体積がそれぞれ異なっており、そのパワー・コンセント１０ａには、予め外形と体積がより大きいほうのプラグが挿入される場合、他のプラグを前記のプラグの隣における挿入孔に挿入しようとすると、よく、両者が互いに干渉しあうようになることがあり、この場合では、干渉されるプラグの中の一者を他の遠いほうの挿入孔に移して挿入しなければならなくなることから、電気製品のプラグ同士が並列的に前記従来のパワー・コンセントに配列される場合に、よく不使用状態になる挿入孔が存在するようになり、かなり惜しいため、従来技術の前記パワー・コンセントに設けられる切替スイッチ２０ａには、依然として検討されるべき問題点がある。
【考案の開示】
【考案が解決しようとする課題】
【０００５】
そのため、本考案は、切替スイッチがパワー・コンセントに配置される場合に、その切替スイッチの導電挟持レッグが二つのそれぞれ異なる挿入方向のプラグを電気的に接続でき、プラグ同士が相互に干渉し合うようになることを避けられる効果を有する、パワー・コンセントにおける切替スイッチとその導電挟持レッグを提供することをその主要な解決しようとする課題とする。
【課題を解決するための手段】
【０００６】
前記の目的を図るために、本考案によるパワー・コンセントに配置される切替スイッチにおいては、押し付けボタン手段と導電サポート・ピースと二つの導電挟持レッグとを有しており、その中、前記押し付けボタン手段には、収納空間を有する、開口が上へ向けるハウジングと、前記ハウジングの収納空間内に収納されるスイッチ部材と、前記ハウジングの上部に枢着される押し付けボタン・カバーとを有しながら、前記導電サポート・ピースは、前記押し付けボタン手段のハウジングの底部に固着されるとともに、前記押し付けボタン手段のスイッチ部材に電気的に接続され、且つ前記二つの導電挟持レッグ同士はそれぞれ前記押し付けボタン手段のハウジングの底部の両端部に固着されるとともに、前記押し付けボタン手段のスイッチ部材に電気的に接続され、その中、それぞれの導電挟持レッグには、挟持部と、その挟持部に接続される導電部と、を有しており、その中、その挟持部には、二枚の挟持ピース同士を有しつつ、それぞれの挟持ピースには、挟持ピース本体と、前記それぞれ挟持ピース本体の隣り合う両側辺部より外方へ延出形成される二枚の湾曲弾性ピース同士を有し、また、前記二枚の挟持ピース同士における挟持ピース本体同士を接続する接合部を有している。
（作用）
【０００７】
このような処理方式によると、前記切替スイッチを前記パワー・コンセントに配置する場合に、その切替スイッチの導電挟持レッグが二つのそれぞれ異なる挿入方向のプラグを電気的に接続できるので、プラグ同士の相互間の干渉し合うことを避けられる効果を果たすことができる。
【０００８】
以下に、添付図面を参照しながら、本考案の優れた実施の形態を詳細で具体的に説明するが、それらの詳細な説明による具体的な構成は、単に本考案の実施可能な実施例に過ぎず、本考案の権力主張範囲を狭義的にリミットを加えるものではないことは言うまでもない。
【考案を実施するための最良の形態】
【０００９】
図３と図４と図５に示すように、本考案による、パワー・コンセントに配置される切替スイッチ１には、押し付けボタン手段２と、導電サポート・ピース４と、二つの導電挟持レッグ同士６とを備えている。
【００１０】
押し付けボタン手段２には、開口が上へ向けるハウジング２０と、スイッチ部材２２と、押し付けボタン・カバー２４とを備えており、ハウジング２０には、収納空間２０２と、その前後の側壁部の上部に形成される二つの枢着孔同士２０４と、その前側の壁部の底部の両端部に形成されつつ、収納空間２０２と連通する通孔２０６と、前記底部に形成されるとともに、収納空間２０２と連通し合う穿孔２０８とを有しており、また、スイッチ部材２２がハウジング２０の収納空間２０２内に収納され、また、押し付けボタン・カバー２４には、押し付けボタン・カバー本体２４２と、押し付けボタン・カバー本体２４２の前後の側壁部に突出形成される二本の突出柱同士２４４とを有しており、その中、二本の突出柱同士２４４がそれぞれハウジング２０の二つの枢着孔同士２０４に枢着される。
【００１１】
導電サポート・ピース４が、押し付けボタン手段２のハウジング２０の穿孔２０８を貫通してハウジング２０の底部に固定され、且つ導電サポート・ピース４が押し付けボタン手段２のスイッチ部材２２に電気的に接続されている。
【００１２】
二つの導電挟持レッグ同士６が、それぞれ押し付けボタン手段２のハウジング２０における二つの通孔同士２０６を貫通してハウジング２０の底部の両端部に固定され、且つ押し付けボタン手段２のスイッチ部材２２に電気的に接続され、それぞれの導電挟持レッグ６には、挟持部６２と、その挟持部６２に接続される導電部６４とを有しており、その中、挟持部６２には、二枚の挟持ピース同士６２２を有し、それぞれの挟持ピース６２２には、挟持ピース本体６２２２と、それぞれの挟持ピース本体６２２２の隣り合う両側辺部より外方へ延出形成される湾曲弾性ピース６２２４とを備えており、且つ二枚の挟持ピース同士６２２の挟持ピース本体６２２２とを接続する接合部６２４を有している。
【００１３】
また、スイッチ部材２２には、ベース２２２と、発光素子２２３と、第一のスプリング２２４と、導電板２２５と、柱体２２６と、第二のスプリング２２７とを備えており、また、ベース２２２には、ベース本体２２２２と、そのベース本体２２２２の底部に突出形成される突出柱２２２４とを備えており、また、発光素子２２３として発光ダイオードやＮｅガス・ランプなどの装置を採用し、その発光素子２２３がベース２２２のベース本体２２２２に組立てられるとともに、その発光素子２２３には二本のそれぞれ柱体２２６と第一のスプリング２２４に電気的に接続されるコンタクト・レッグ２２３１を有し、また、第一のスプリング２２４がベース２２２の突出柱２２２４につけられ、また、導電板２２５が揺動可能に導電サポート・ピース４の上部に配置されるとともに、第一のスプリング２２４の底部に当接されており、また、柱体２２６がベース２２２のベース本体２２２２の底部に当接されており、また、第二のスプリング２２７が柱体２２６の下方に配置される。その中、第二のスプリング２２７の他端部が導電挟持レッグ６の導電部６４に当接され、その導電板２２５が離脱可能に他の導電挟持レッグ６の導電部６４に当接される。
【００１４】
また、切替スイッチ１には、さらに二枚の位置決めピース同士８を有してもよく、それらのそれぞれを二つの導電挟持レッグ同士６に組立てられて切替スイッチ１をパワー・コンセントに位置決めるように作用する。
【００１５】
また、図６に示すように、複数個の切替スイッチ同士１がそれぞれ一つのパワー・コンセント１に配置され、電気スタンドやパーソナル・コンピュータやプリンターやファクシミリーや電話装置や携帯電話チャージャーなどの多くの電気製品のプラグがそれぞれ異なる方向より挿入することができ、且つ対応しあう切替スイッチ１の導電挟持レッグ６に電気的に接続できる。
【産業上の利用可能性】
【００１６】
本考案によるパワー・コンセントにおける切替スイッチとその導電挟持レッグは、前記の構成を有するので、複数個の切替スイッチ同士１がパワー・コンセント１０に配置される場合に、それぞれの切替スイッチの導電挟持レッグ６が二つのそれぞれ異なる挿入方向より挿入されるプラグを電気的に接続でき、プラグ同士が相互に干渉しあうようになることを防止することができ、パワー・コンセント１０の一部の挿入孔が利用不能になることを生じることをなくすことができ、且つパワー・コンセントの挿入孔の数量を増加できるので、さらに多くの電気プラグの挿入を受けることができる、パワー・コンセントにおける切替スイッチとその導電挟持レッグ構造を効果的に提供することができる。
【００１７】
また、前記に開示された諸構成は、単に本考案の実施可能な実施例に過ぎず、それらによって本考案の権力主張範囲を定義するものではなく、本考案の請求の範囲の要旨の記載に基づいて実施される同じような効果を有するすべての改造や変更や一部転用などについて、すべて本考案の主張範囲内に納入されるべきことは言うまでもない。
【図面の簡単な説明】
【００１８】
【図１】従来の切替スイッチがパワー・コンセントに配置される場合を示す分解斜視図である。
【図２】電気製品の電気プラグが従来の切替スイッチを有するパワー・コンセントに挿入固定される様子を示す説明図である。
【図３】本考案のパワー・コンセントに配置される切替スイッチを示す斜視図である。
【図４】本考案のパワー・コンセントに配置される切替スイッチを示す分解斜視図である。
【図５】本考案のパワー・コンセントに配置される切替スイッチを示す断面図である。
【図６】電気製品の電気プラグ同士が本考案の切替スイッチ同士が配置してあるパワーコンセントに挿入固定される場合の様子を示す説明図である。
【符号の説明】
【００１９】
１        切替スイッチ
２        押し付けボタン手段
４        導電サポート・ピース
６        導電挟持レッグ
２０      ハウジング
２２      スイッチ部材
２４      押し付けボタン・カバー
６２      挟持部
６４      導電部
２０２    収納空間
２０４    枢着孔
２０６    通孔
２０８    穿孔
２２２    ベース
２２４    第一のスプリング
２２５    導電板
２２６    柱体
２２７    第二のスプリング
２４２    押し付けボタン・カバー本体
２４４    突出柱
６２２    挟持ピース
６２４    接合部
２２２２  ベース本体
２２２４  突出柱
２２３１  コンタクト・レッグ
６２２２  挟持ピース本体
６２２４  湾曲弾性ピース
【図１】
0003103625.tif 000003
【図２】
0003103625.tif 000004
【図３】
0003103625.tif 000005
【図４】
0003103625.tif 000006
【図５】
0003103625.tif 000007
【図６】
0003103625.tif 000008